(57)【要約】【課題】  被写体の静止画撮影の前後における動画撮影を簡単な操作で確実に行える撮像装置を提供する。【解決手段】  被写体像を撮像して静止画像データと動画像データとを生成する手段（撮影レンズ１１,１４と撮像素子と処理回路を含む）と、撮影者の指によって操作される手動部材１７を含み、該手動部材から出力される操作信号に応じて、静止画像データの生成を指示する手段（手動部材１７と制御回路を含む）と、手動部材または該手動部材の近傍に設けられると共に前記指との接触または前記指の接近を検知するセンサ１８を含み、該センサから出力される検知信号に応じて、動画像データの生成の開始を指示する手段（近接センサ１８と制御回路を含む）とを備える。【選択図】      図１
2006054636.tif 000002
【特許請求の範囲】
【請求項１】
被写体像を撮像して静止画像データと動画像データとを生成する生成手段と、
撮影者の指によって操作される手動部材を含み、該手動部材から出力される操作信号に応じて、前記静止画像データの生成を指示する第１の指示手段と、
前記手動部材または該手動部材の近傍に設けられると共に前記指との接触または前記指の接近を検知するセンサを含み、該センサから出力される検知信号に応じて、前記動画像データの生成の開始を指示する第２の指示手段とを備えた
ことを特徴とする撮像装置。
【請求項２】
請求項１に記載の撮像装置において、
前記第２の指示手段は、前記検知信号の出力開始から所定時間が経過した時点で、前記動画像データの生成の開始を指示する
ことを特徴とする撮像装置。
【請求項３】
請求項１に記載の撮像装置において、
前記生成手段は、前記第２の指示手段による指示に応じて前記動画像データの生成を開始後、前記第１の指示手段による指示に応じて前記静止画像データを生成すると共に、前記動画像データのうち、前記静止画像データの生成よりも所定時間以上前に生成された動画像データを削除する
ことを特徴とする撮像装置。
【請求項４】
請求項３に記載の撮像装置において、
前記第２の指示手段は、前記静止画像データの生成から所定時間が経過した時点で、前記動画像データの生成の終了を指示する
ことを特徴とする撮像装置。
【請求項５】
請求項１に記載の撮像装置において、
前記静止画像データに基づいて、前記動画像データの色と明るさと手振れとの少なくとも１つを補正する補正手段をさらに備えた
ことを特徴とする撮像装置。
【発明の詳細な説明】
【技術分野】
【０００１】
本発明は、被写体の静止画撮影と動画撮影との双方を行える撮像装置に関する。
【背景技術】
【０００２】
被写体の静止画撮影の前後において自動的に動画撮影を行う電子カメラが提案されている（例えば特許文献１を参照）。この電子カメラでは、周知の２段階押圧構造のレリーズボタンを用い、１stレリーズ操作（半押し）に応答して動画撮影を開始する。そして、２ndレリーズ操作（全押し）に応答して静止画撮影を行い、それから一定時間後に動画撮影を終了する。また、上記した２段階押圧構造のレリーズボタンではなく、静止画撮影用のボタンと動画撮影用のボタンとを個別に設ける構成例についても、特許文献１に記載されている。
【特許文献１】特開２００１−７８１３７号公報
【発明の開示】
【発明が解決しようとする課題】
【０００３】
しかしながら、２段階押圧構造のレリーズボタンを用いる場合、１stレリーズ操作を行うつもりでも、誤って２ndレリーズ操作まで一気に進んでしまう可能性があった。この場合には、動画撮影の開始と静止画撮影とが同時に行われ、静止画撮影前の動画を得ることはできない。また、静止画撮影用と動画撮影用のボタンを個別に設ける場合は、撮影者が複数のボタンの操作について混乱を生じ、動画撮影の最中に静止画撮影用のボタンを操作しようとしても、適切な操作が行われない可能性があった。
【０００４】
本発明の目的は、被写体の静止画撮影の前後における動画撮影を簡単な操作で確実に行える撮像装置を提供することにある。
【課題を解決するための手段】
【０００５】
請求項１に記載の撮像装置は、被写体像を撮像して静止画像データと動画像データとを生成する生成手段と、撮影者の指によって操作される手動部材を含み、該手動部材から出力される操作信号に応じて、前記静止画像データの生成を指示する第１の指示手段と、前記手動部材または該手動部材の近傍に設けられると共に前記指との接触または前記指の接近を検知するセンサを含み、該センサから出力される検知信号に応じて、前記動画像データの生成の開始を指示する第２の指示手段とを備えたものである。
【０００６】
請求項２に記載の発明は、請求項１に記載の撮像装置において、前記第２の指示手段は、前記検知信号の出力開始から所定時間が経過した時点で、前記動画像データの生成の開始を指示するものである。
請求項３に記載の発明は、請求項１に記載の撮像装置において、前記生成手段は、前記第２の指示手段による指示に応じて前記動画像データの生成を開始後、前記第１の指示手段による指示に応じて前記静止画像データを生成すると共に、前記動画像データのうち、前記静止画像データの生成よりも所定時間以上前に生成された動画像データを削除するものである。
【０００７】
請求項４に記載の発明は、請求項３に記載の撮像装置において、前記第２の指示手段は、前記静止画像データの生成から所定時間が経過した時点で、前記動画像データの生成の終了を指示するものである。
請求項５に記載の発明は、請求項１に記載の撮像装置において、前記静止画像データに基づいて、前記動画像データの色と明るさと手振れとの少なくとも１つを補正する補正手段をさらに備えたものである。
【発明の効果】
【０００８】
本発明の撮像装置によれば、被写体の静止画撮影の前後における動画撮影を簡単な操作で確実に行うことができる。
【発明を実施するための最良の形態】
【０００９】
以下、図面を用いて本発明の実施形態を詳細に説明する。
本実施形態のデジタルカメラ１０には、図１の外観図と図２のブロック図に示す通り、静止画撮影用の撮影レンズ１１,撮像素子１２,処理回路１３と、動画撮影用の撮影レンズ１４,撮像素子１５,処理回路１６と、操作部材(１７〜１９)と、制御回路２０と、ＬＣＤモニタ２１と、ＵＳＢ端子２２とが設けられる。また、デジタルカメラ１０にはメモリカードスロット(不図示)が設けられ、メモリカード２３が装着されている。
【００１０】
２つの撮像素子１２,１５は、例えばＣＣＤ撮像素子であり、各々の前面に光学的ローパスフィルタ２ａ,５ａが設けられる。一方の撮像素子１２は、高解像度で高画素数の構成であり、高精細な静止画撮影に適している。他方の撮像素子１５は、撮像素子１２より低解像度で高速読み出し可能な構成であり、動画撮影に適している。
また、撮影レンズ１１と光学的ローパスフィルタ２ａとは、高解像度の撮像素子１２に最適な光学設計となっている。同様に、撮影レンズ１４と光学的ローパスフィルタ５ａとは、低解像度の撮像素子１５に最適な光学設計となっている。さらに、２つの撮影レンズ１１,１４のズームは常に連動し、ほぼ同程度の範囲を撮影できるようになっている。このズーム制御は、制御回路２０からの制御信号に応じて行われる。
【００１１】
被写体からの光は、撮影レンズ１１,１４と光学的ローパスフィルタ２ａ,５ａとを介して撮像素子１２,１５に入射する。その結果、撮像素子１２,１５の撮像面には、被写体像が形成される。撮像素子１２,１５は、制御回路２０からの制御信号に応じて被写体像を撮像し、後段の処理回路１３,１６にアナログ画像信号を出力する。
処理回路１３,１６には、図示省略したが、アナログ信号処理部とＡ/Ｄ変換器とデジタル信号処理部とが設けられる。アナログ信号処理部は、撮像素子１２,１５からのアナログ画像信号に対して相関二重サンプリングなどの周知の信号処理を行う。Ａ/Ｄ変換器は、アナログ信号処理部からの出力信号をデジタル画像信号に変換する。デジタル信号処理部は、Ａ/Ｄ変換器からのデジタル画像信号に対して一連の画像処理（周知のガンマ補正やゲイン調整など）を行う。以下、デジタル信号処理後の画像信号を「画像データ」という。
【００１２】
上記した静止画撮影用の撮影レンズ１１,撮像素子１２,処理回路１３は、高解像度の撮像素子１２の出力に基づいて静止画像データを生成する手段であり、生成した静止画像データを後段の制御回路２０に出力する。動画撮影用の撮影レンズ１４,撮像素子１５,処理回路１６は、低解像度の撮像素子１５の出力に基づいて動画像データを生成する手段であり、生成した動画像データを後段の制御回路２０に出力する。
【００１３】
このように、本実施形態のデジタルカメラ１０では、静止画像データを生成する手段(１１〜１３)と動画像データを生成する手段(１４〜１６)とが独立に設けられるため、静止画撮影と動画撮影とを並行して行うことができ、静止画像データと動画像データとを同時に生成することも可能である。なお、静止画像データを生成する手段(１１〜１３)と動画像データを生成する手段(１４〜１６)とは、総じて請求項の「生成手段」に対応する。
【００１４】
制御回路２０には、不図示のバッファメモリが設けられ、処理回路１３からの静止画像データや処理回路１６からの動画像データが一時的にバッファメモリに記憶される。そして、その画像データは最終的にメモリカード２３に記録される。また、制御回路２０は、操作部材(１７〜１９)から出力される各種信号に応じて、静止画撮影と動画撮影に関わる制御を行う。このとき、ＬＣＤモニタ２１には、ユーザ確認用の画像が表示される(電子ビューファインダ)。
【００１５】
次に、操作部材(１７〜１９)について説明する。操作部材(１７〜１９)は、レリーズボタン１７と、近接センサ１８と、モードダイヤル１９とで構成される。
レリーズボタン１７は、撮影者の指によって操作される２段階押圧構造の手動部材であり、撮影者による手動操作に応じて２種類の操作信号を制御回路２０に出力する。一方の操作信号は、１stレリーズ操作（半押し）に対応して出力され、後述する静止画撮影のみを行うモード,静止画撮影と動画撮影とを同時に行うモードにおいて、静止画撮影に関するＡＦ制御やＡＥ制御などのトリガとなる。他方の操作信号は、２ndレリーズ操作（全押し）に対応して出力され、後述する静止画撮影のみを行うモード,静止画撮影と動画撮影とを同時に行うモードにおいて、静止画撮影に関わる制御（例えば撮像素子１２の読み出し制御など）のトリガとなる。
【００１６】
なお、制御回路２０は、後述する静止画撮影のみを行うモード,静止画撮影と動画撮影とを同時に行うモードにおいて、レリーズボタン１７から出力される操作信号に応じて、上記した静止画像データを生成する手段(１１〜１３)に指示を出す。レリーズボタン１７と制御回路２０とは、総じて請求項の「第１の指示手段」に対応する。ここで、レリーズボタン１７が手動操作されるとき、レリーズボタン１７の上には、一般的なカメラと同様、撮影者の指２５（図３）が乗せられる。
【００１７】
近接センサ１８は、レリーズボタン１７の近傍（本実施形態ではレリーズボタン１７の周囲）に、レリーズボタン１７と一体化した形で設けられる。この近接センサ１８は、レリーズボタン１７の上に撮影者の指２５が乗っている（接触している）とき、指２５の存在を非接触で検知して（つまり指２５の接近を検知して）、指２５の存在（接近）に応じた検知信号を制御回路２０に出力する。この検知信号は、動画撮影に関わる制御（例えば撮像素子１５の読み出し制御など）のトリガとなる。
【００１８】
なお、制御回路２０は、近接センサ１８から出力される検知信号に応じて、上記した動画像データを生成する手段(１４〜１６)に指示を出す。この場合の指示は、動画像データの生成の開始や終了に関わる指示である。近接センサ１８と制御回路２０とは、総じて請求項の「第２の指示手段」に対応する。非接触型の近接センサ１８としては、赤外線などの光や超音波や静電容量などを用いて対象物の存在を検知するものが知られている。
【００１９】
モードダイヤル１９は、デジタルカメラ１０の撮影モードを手動操作に応じて設定する部材である。本実施形態では、３種類の撮影モード（[１]静止画撮影のみを行うモード,[２]動画撮影のみを行うモード,[３]静止画撮影と動画撮影とを同時に行うモード）が予め用意され、そのうち何れかを選択可能となっている。モードダイヤル１９は、撮影者による手動操作に応じて撮影モードが選択されると、その選択内容に応じたモード信号を制御回路２０に出力する。
【００２０】
次に、本実施形態のデジタルカメラ１０の撮影動作について、静止画撮影と動画撮影とを同時に行う場合を例に説明する。この場合の手順は、図４のフローチャートに示す通りである。制御回路２０は、電源ＯＮの状態でモードダイヤル１９から出力されるモード信号を確認し、モード[３]が選択されている場合、図４のフローチャートの手順にしたがって撮影動作を行う。
【００２１】
まず（ステップＳ１）、近接センサ１８から出力される検知信号の有無に基づいて、撮影者が指２５をレリーズボタン１７の上に乗せたか否かを判断する。そして、撮影者が指２５を乗せるまで待機する。通常、撮影者は、フレーミングを決めるとレリーズボタン１７の上に指２５を乗せる。
近接センサ１８から出力される検知信号が「有」となり、撮影者が指２５をレリーズボタン１７の上に乗せたことを検知すると（ステップＳ１がYes）、制御回路２０は、動画像データを生成する手段(１４〜１６)に指示を出し、動画撮影を開始させる（ステップＳ２）。つまり、動画撮影用の低解像度の撮像素子１５の読み出し制御を行って、処理回路１６から動画像データを取り込み、バッファメモリに記憶する。さらに、この一連の処理を繰り返し実行する。
【００２２】
この状態で、制御回路２０は、レリーズボタン１７から出力される操作信号の有無に基づいて、撮影者による１stレリーズ操作(半押し)や２ndレリーズ操作(全押し)が行われたか否かを判断する（ステップＳ３）。そして、レリーズボタン１７が操作されていなければ（ステップＳ３がNo）、ステップＳ４の処理に進む。つまり、レリーズボタン１７が操作されるまでの間（静止画撮影待ち状態で）、動画撮影を繰り返しながら、ステップＳ３〜Ｓ９の処理を行う。
【００２３】
ステップＳ４では、近接センサ１８から出力される検知信号の有無に基づいて、レリーズボタン１７の上から指２５が離れた（つまり近接センサ１８が指２５の存在を検知できる空間の外に指２５が移動した）か否かを判断する。近接センサ１８からの検知信号が「無」となり、指２５が離れたことを検知すると（ステップＳ４がYes）、制御回路２０は、撮影者が撮影を止めたものと判断して実行中の動画撮影を終了する（ステップＳ５）。さらに、撮影済みの動画像データを破棄し（ステップＳ６）、ステップＳ１のスタンバイ状態に戻る。
【００２４】
一方、レリーズボタン１７の上から指２５が離れていない場合（ステップＳ４がNo）、制御回路２０は、ステップＳ２の動画撮影開始からの経過時間が所定時間Ｔ1を超えたか否かを判断する（ステップＳ７）。そして、所定時間Ｔ1以内であれば（ステップＳ７がNo）、ステップＳ３の処理に戻る。また、所定時間Ｔ1を超えた場合（ステップＳ７がYes）、制御回路２０は、一旦、動画撮影を終了し（ステップＳ８）、撮影済みの動画像データを破棄して（ステップＳ９）、ステップＳ２の処理に戻り、動画撮影を再開する。
【００２５】
このように、レリーズボタン１７が操作されるまでの間（静止画撮影待ち状態で）、動画撮影を繰り返しながら、ステップＳ３〜Ｓ９の処理を行うことにより、静止画撮影待ち状態が長時間続くような場合でも、静止画撮影前の動画を常に所定時間Ｔ1より短く制限することができる。つまり、静止画撮影前の動画が必要以上に長くなる事態を確実に回避できる。このため、制御回路２０内のバッファメモリの容量不足が問題となることはない。
【００２６】
そして、レリーズボタン１７から出力される操作信号が「有」となり（ステップＳ３がYes）、撮影者が１stレリーズ操作(半押し)を行ったことを検知すると、制御回路２０は、静止画撮影に関するＡＦ制御やＡＥ制御などを行う。さらに、撮影者が２ndレリーズ操作(全押し)を行ったことを検知すると、制御回路２０は、静止画像データを生成する手段(１１〜１３)に指示を出し、静止画撮影を実行させる（ステップＳ１０）。つまり、静止画撮影用の高解像度の撮像素子１２の読み出し制御を行って、処理回路１３から高精細な静止画像データを取り込み、バッファメモリに記憶する。この静止画撮影の最中でも、動画撮影はバックグラウンドで継続される。
【００２７】
このようにして静止画撮影が終了した後（ステップＳ１１）、制御回路２０は、上記のステップＳ４と同様の方法で、レリーズボタン１７の上から指２５が離れたか否かを判断する。そして、指２５が離れると（ステップＳ１１がYes）、その時点から所定時間Ｔ2が経過するまで待機して（ステップＳ１２）、所定時間Ｔ2を超えると（ステップＳ１２がYes）、制御回路２０は、動画撮影を終了する（ステップＳ１３）。
【００２８】
その後（ステップＳ１４）、制御回路２０は、撮影済みの動画像データを含む動画ファイルと、撮影済みの静止画像データを含む静止画ファイルとを、メモリカード２３に保存（記録）する。この際、静止画ファイルと動画ファイルとの関連づけを行っておく。ファイル形式が例えばExif形式（Exchangeable Image File Format）に準拠したものであれば、静止画ファイルの付加情報として“動画ファイル名”を書き込み、動画ファイルの付加情報として“静止画ファイル名”を書き込むことにより、両者の関連づけを行うことができる。ステップＳ１４の保存処理後、図４の撮影動作は終了となる。
【００２９】
本実施形態のデジタルカメラ１０では、レリーズボタン１７の近傍に近接センサ１８を設け、近接センサ１８から出力される検知信号（つまりレリーズボタン１７の上に指２５が乗ったときに出力される検知信号）に応じて自動的に動画撮影を開始する。また、一般的なカメラと同様のレリーズ操作（レリーズボタン１７の押圧操作）に応じて、静止画撮影を行う。したがって、動画撮影を意識することなく、簡単な操作で（つまり１回のレリーズ操作で）、静止画撮影の前後における動画撮影を確実に行うことができる。このため、静止画をメインとして、その前後の被写体の一連の動作を動画として記録することができる。さらに、本実施形態のデジタルカメラ１０では、動画撮影を意識せずに済むため、静止画撮影に専念できる。
【００３０】
また、本実施形態のデジタルカメラ１０では、静止画像データを生成する手段(１１〜１３)と動画像データを生成する手段(１４〜１６)とが独立に設けられるため、各々に最適な解像度や読み出し速度のものを用いることができる。さらに、静止画像データと動画像データとを同時に生成することも可能であり、静止画撮影時における動画像データのコマ落ちなどの不具合が起きることもない。
【００３１】
また、本実施形態のデジタルカメラ１０では、静止画ファイルと動画ファイルとを互いに関連づけて保存するため、静止画像データと動画像データとが一体になった新たな画像形式を提供できる。したがって、これらのファイルをコンピュータ側に転送した後で、静止画を再生する際に、その静止画に関連づけられている動画ファイル名を参照して両者をリンクさせ、静止画の前後の動画を自動的に再生することができる。例えば、ある静止画ファイルを選択するだけで、コンピュータの画面左側に静止画を表示させ、画面右側に動画を表示させることも可能である。また、静止画の画像をダブルクリックすると、別のウインドウで動画が再生されるといった使い方も可能である。
（変形例）
なお、上記した実施形態では、非接触型の近接センサ１８をレリーズボタン１７の周囲に設ける例を説明したが、本発明はこれに限定されない。レリーズボタン１７の上に乗せられた指２５の存在を検知可能な範囲（例えば図５に示す点ハッチングの範囲２６）内であれば、近接センサ１８の設置箇所は何処でも構わない。この範囲２６は、図３に示す指２５と対向可能な範囲であり、請求項の「近傍」に対応する。レリーズボタン１７の周囲も、上記の範囲２６に含まれる。また、非接触型の近接センサ１８としては、撮影者の指２５がレリーズボタン１７に接触したときに限らず、レリーズボタン１７に接近したときに、指２５の存在に応じた検知信号を出力するように構成してもよい。
【００３２】
さらに、上記した実施形態では、非接触型の近接センサ１８を用いる例を説明したが、本発明はこれに限定されない。接触型のセンサを用いる場合にも、本発明を適用できる。接触型のセンサの場合、非接触型の近接センサ１８と同様にレリーズボタン１７の近傍に設けても構わないが、レリーズボタン１７に設けることが好ましい。接触型のセンサは、レリーズボタン１７の上に撮影者の指２５が乗っているとき、指２５の存在を接触状態で検知して（つまり指２５との接触を検知して）、指２５との接触に応じた検知信号を制御回路２０に出力する。接触型のセンサとしては、電気的に対象物の存在を検知するものが知られている。
【００３３】
また、本実施形態の非接触型の近接センサ１８と、上記の接触型のセンサとを組み合わせて設ける場合にも、本発明を適用できる。
さらに、上記した実施形態では、図４のステップＳ１,Ｓ２において、撮影者が指２５をレリーズボタン１７の上に乗せる（つまり近接センサ１８から検知信号が出力される）と直ぐに動画撮影を開始する例で説明したが、本発明はこれに限定されない。近接センサ１８からの検知信号の出力開始から所定時間Ｔ3が経過するまで待機し、所定時間Ｔ3が経過した時点で、近接センサ１８からの検知信号が検知された場合に、動画撮影を開始するように構成してもよい。所定時間Ｔ3のタイムラグを設けることにより誤動作を防止できる。近接センサ１８からの検知信号が所定時間Ｔ3の間、継続して出力された場合に、動画撮影を開始する構成としても、同様の効果が得られる。
【００３４】
また、上記した実施形態では、図４のステップＳ７〜Ｓ９において、静止画撮影前の動画を常に所定時間Ｔ1より短く制限する例を説明したが、本発明はこれに限定されない。制御回路２０のバッファメモリが大容量の場合には、ステップＳ７〜Ｓ９の処理を省略して、撮影動作の終了後に不要な部分を削除することもできる。不要な部分とは、動画像データのうち“静止画像データの生成よりも所定時間Ｔ1以上前に生成された動画像データ”である。この場合にも、静止画撮影前の動画を常に所定時間Ｔ1より短く制限することができる。
【００３５】
さらに、上記した実施形態では、図４のステップＳ１２,Ｓ１３において、レリーズボタン１７から指２５が離れた時点から所定時間Ｔ2が経過した時点で、動画撮影を終了する例を説明したが、本発明はこれに限定されない。指２５が離れると直ぐに（つまりＴ2＝０）動画撮影を終了してもよい。また、指離れのタイミングに拘わらず、ステップＳ１０の静止画撮影から所定時間Ｔ4が経過した時点で、動画撮影を終了してもよい。また、ステップＳ２の動画撮影開始から所定時間Ｔ5が経過した時点で、動画撮影を終了してもよい。
【００３６】
また、上記した実施形態では、２つの撮影レンズ１１,１４のズームを常に連動させる例を説明したが、本発明はこれに限定されない。モードダイヤル１９によって設定される撮影モードの種類に応じてズーム動作を変えても構わない。例えば、静止画撮影のみを行うモードでは静止画撮影用の撮影レンズ１１だけズーム動作し、動画撮影のみを行うモードでは動画撮影用の撮影レンズ１４だけズーム動作し、同時撮影モードでは両方の撮影レンズ１１,１４のズームを連動させるという制御が考えられる。この方が消費電力の節約のために好ましい。
【００３７】
さらに、上記した実施形態では、２つの撮像素子１２,１５を備えたデジタルカメラ１０の例を説明したが、本発明はこれに限定されない。撮像素子の数が１つである場合にも、本発明を適用できる。この場合、撮影レンズも１つとなる。つまり、撮像素子と撮影レンズは静止画撮影用と動画撮影用とで共用となる。
また、上記した実施形態では、図４のステップＳ１３,Ｓ１４において、撮影済みの動画像データをそのままメモリカード２３に保存する例を説明したが、本発明はこれに限定されない。撮影済みの動画像データに対して次の補正処理（加工・修正）を行った後で、メモリカード２３に保存しても構わない。さらに、動画像データに対する補正処理は、デジタルカメラ１０の内部で行っても構わないし、コンピュータへのデータ転送後に別のソフトウエアで行っても構わない。
【００３８】
動画像データに対する補正処理には、動画像データの色を補正する処理や、明るさを補正する処理や、手振れを補正する処理などが考えられる。このような補正処理の結果、単純に動画を撮影しただけのデータより見やすい映像にすることができる。
動画像データの色を補正する処理は、２つの撮像素子１２,１５を備える場合、その個体差（色の違い）を取り除くために有効であり、静止画像データの色を基準にして動画像データの色を合わせればよい。
【００３９】
動画像データの明るさを補正する処理は、デジタルカメラ１０のパンニングなどによってコマごとに明るさが変わってしまう場合に有効であり、例えばヒストグラムを用いるなどして、静止画像データの例えば指定された注目被写体の明るさを基準にして動画像データの明るさを揃えるようにすればよい。
すなわち、静止画像と同時刻に撮影された動画像の中から、静止画像上で特定した注目被写体に相当する領域をパターン認識等によって抽出し、抽出された動画像中の注目被写体領域の明るさが静止画像上の注目被写体領域の明るさと同じになるように動画像データを補正する。例えば、注目被写体領域について、動画像データの値を１.５倍すると、静止画像データと明るさが等しくなると判断された場合には、注目被写体領域の動画像データについて１.５倍の乗算処理を行うと共に、注目被写体以外の領域の動画像データについても１.５倍の乗算処理を行う。
【００４０】
一方、静止画像撮影時とは異なる時刻に撮影された動画像は、静止画像撮影時と同時刻に撮影された動画像に比較して、明るさが変動している可能性がある。このため、静止画像撮影時と同時刻に撮影された動画像中の注目被写体領域について、一連の動画像中で動きベクトルを算出することで追尾を行って、一連の各々の動画像中での注目被写体領域を特定する。このようにして特定された各動画像中の注目被写体領域について、静止画像撮影と同時刻に撮影された動画像中の注目被写体領域と同じ明るさとなるように一連の動画像データの補正処理を行う。例えば、この場合の補正処理が２倍の乗算処理であった場合には、注目被写体領域以外の領域についても２倍の乗算処理を行う。このようにして、静止画像データの注目被写体の明るさを基準にして、一連の動画像データの明るさを揃えることができる。
【００４１】
動画像データの手振れを補正する処理は、例えば図６に示す通り、静止画像データ３０の被写体位置３０Ａ中の斜線を付した長方形で示される特定（静止）被写体像の位置を基準にして、各々の動画像データ３１,３２,…から被写体領域３１Ａ,３２Ａ,…を切り出すようにすればよい。このような処理を行うことで、図６の符号３６〜４０で示されるように、斜線を付した長方形で示される静止被写体像の切り出し領域中の位置が固定された手振れ補正動画像を得ることができる。
【図面の簡単な説明】
【００４２】
【図１】本実施形態のデジタルカメラ１０の外観図（背面図(ａ),上面図(ｂ),正面図(ｃ)）である。
【図２】本実施形態のデジタルカメラ１０の内部構成を示すブロック図である。
【図３】レリーズボタン１７の上に指２５が乗せられた状態を説明する図である。
【図４】静止画撮影と動画撮影とを同時に行う場合の撮影動作の手順を示すフローチャートである。
【図５】近接センサの設置箇所として考えられる範囲２６を説明する図である。
【図６】動画像データの手振れ補正の一例を説明する図である。
【符号の説明】
【００４３】
１０  デジタルカメラ
１１，１４  撮影レンズ
１２，１５  撮像素子
２ａ，５ａ  光学的ローパスフィルタ
１３，１６  処理回路
１７  レリーズボタン
１８  近接センサ
１９  モードダイヤル
２０  制御回路
２１  ＬＣＤモニタ
２３  メモリカード
２５  指
２６  指と対向可能な範囲
３０  静止画像データ
３１，３２，３３，３４，３５  動画像データ
３６，３７，３８，３９，４０  切り出し画像
【図１】
2006054636.tif 000003
【図２】
2006054636.tif 000004
【図３】
2006054636.tif 000005
【図４】
2006054636.tif 000006
【図５】
2006054636.tif 000007
【図６】
2006054636.tif 000008